(57)【要約】【課題】  エアコンを使用することなく、ハムスターなどの小動物が好む温度環境を巣箱の中に作り出す、安全かつ経済的でしかも長時間にわたって冷却効果が持続する小動物用巣箱の床冷房器および小動物用巣箱を提供する。【解決手段】  全体が断熱材で形成され且つ保冷剤を収納する収納部を有するとともに、その上に巣箱を載せ置いて使用する床冷房器本体と、この床冷房器本体の天板部の一部に設けられた、穴、隙間、断熱材の厚みを薄くした部分、熱伝導性の良い金属製部材やセラミックス製部材などからなる、前記床冷房器本体に載せ置いた前記巣箱の床の一部に冷えた領域を形成するための部分冷却部と、とからなることを特徴とする小動物用巣箱の床冷房器。【選択図】図4
2008022818.tif 000002
【特許請求の範囲】
【請求項１】
全体が断熱材で形成され且つ保冷剤を収納する収納部を有するとともに、その上に巣箱を載せ置いて使用する床冷房器本体と、この床冷房器本体の天板部の一部あるいは全部を、断熱材の厚みを薄くするとか、周囲よりは熱伝導性の良い部材で作るとか、前記床冷房器本体に載せ置いた巣箱の床に冷えた領域を形成するための冷却用天板と、とからなることを特徴とする小動物用巣箱の床冷房器。
【請求項２】
全体が断熱材で形成され且つ保冷剤を収納する収納部を有するとともに、その上に巣箱を載せ置いて使用する床冷房器本体と、この床冷房器本体の天板部の一部に設けられた、穴、隙間、断熱材の厚みを薄くした部分、熱伝導性の良い金属製部材やセラミックス製部材などからなる、前記床冷房器本体に載せ置いた前記巣箱の床の一部に冷えた領域を形成するための部分冷却部と、前記巣箱の床と部分冷却部間に隙間がある場合に用いる冷気を漏出させないための輪形のパッキンと、とからなることを特徴とする小動物用巣箱の床冷房器。
【請求項３】
床を有する巣箱本体と、全体が断熱材で形成され且つ保冷剤を収納する収納部を有するとともに、その上に前記巣箱を載せ置いて使用する床冷房器本体と、この床冷房器本体の天板部の一部に設けられた、穴、隙間、断熱材の厚みを薄くした部分、熱伝導性の良い金属製部材やセラミックス製部材などからなる、前記床冷房器本体に載せ置いた前記巣箱の前記床の一部に冷えた領域を形成するための部分冷却部と、とからなることを特徴とする小動物用巣箱。
【発明の詳細な説明】
【技術分野】
【０００１】
本発明は、ハムスターなどの小ペットの巣箱を冷却する小動物用巣箱の床冷房器および小動物用巣箱に関する。
【背景技術】
【０００２】
ペットのハムスターなどの小動物は３０度以上の高温の環境に長時間耐えることができないので夏は温度管理が必要である。温度管理の手段として一般にエアコンが用いられている。しかし、人が居ないときに部屋全体を冷やすエアコン稼動は省エネの観点から好ましくなく不経済である。
【０００３】
エアコンを使用しないで飼育ケース内を冷却する手段としては保冷剤や中の水を凍らせたペットボトルなどを入れて冷やす方法が用いられている。しかし、この方法は温度調節ができず、ハムスターが好む温度を設定することができないという問題があった。さらに、１２時間とか２４時間の長時間の効果を持続させることが難しいなどの問題があった。齧られるとか、保冷剤に結露して巣の中が濡れてしまうなど安全性の問題もあり、暑い時に単に温度を下げる非常手段として用いられているのが現状である。
【０００４】
このように、これまでは、エアコン以外に簡単に温度管理ができてしかも長時間効果が持続する小動物用の冷房装置は無かった。更に、巣箱の床の一部をハムスターなどが好む温度に冷却する床冷房装置は無かった。
【特許文献１】特になし
【非特許文献１】特になし
【発明の開示】
【発明が解決しようとする課題】
【０００５】
本発明は上述した従来技術の欠点に鑑みてなされたものであって、その目的は、エアコンを使用することなく、ハムスターなどの小動物が好む温度環境を巣箱の中に作り出す、安全かつ経済的でしかも長時間にわたって冷却効果が持続する小動物用巣箱の床冷房器および小動物用巣箱を提供するにある。
【課題を解決するための手段】
【０００６】
以上の目的を達成するために本発明は、次のような構成となっている。
＜請求項１記載の発明＞
全体が断熱材で形成され且つ保冷剤を収納する収納部を有するとともに、その上に巣箱を載せ置いて使用する床冷房器本体と、  この床冷房器本体の天板部の一部あるいは全部を、断熱材の厚みを薄くするとか、周囲よりは熱伝導性の良い部材で作るとか、前記床冷房器本体に載せ置いた巣箱の床に冷えた領域を形成するための冷却用天板と、とで小動物用巣箱の床冷房器を構成している。
【０００７】
＜請求項２記載の発明＞
全体が断熱材で形成され且つ保冷剤を収納する収納部を有するとともに、その上に巣箱を載せ置いて使用する床冷房器本体と、この床冷房器本体の天板部の一部に設けられた、穴、隙間、断熱材の厚みを薄くした部分、熱伝導性の良い金属製部材やセラミックス製部材などからなる、前記床冷房器本体に載せ置いた前記巣箱の床の一部に冷えた領域を形成するための部分冷却部と、とで小動物用巣箱の床冷房器を構成している。
＜請求項３記載の発明＞
床を有する巣箱本体と、全体が断熱材で形成され且つ保冷剤を収納する収納部を有するとともに、その上に前記巣箱を載せ置いて使用する床冷房器本体と、この床冷房器本体の天板部の一部に設けられた、穴、隙間、断熱材の厚みを薄くした部分、熱伝導性の良い金属製部材やセラミックス製部材などからなる、前記床冷房器本体に載せ置いた前記巣箱の前記床の一部に冷えた領域を形成するための部分冷却部と、とで小動物用巣箱を構成している。
【発明の効果】
【０００８】
本発明は上述したような構成となっているので、次に述べるような効果を奏する。
＜請求項１記載の発明の効果＞
全体が断熱材で形成され且つ保冷剤を収納する収納部を有するとともに、その上に巣箱を載せ置いて使用する床冷房器本体と、この床冷房器本体の天板部の一部あるいは全部を、断熱材の厚みを薄くするとか、周囲よりは熱伝導性の良い部材で作るとか、前記床冷房器本体に載せ置いた巣箱の床に冷えた領域を形成するための冷却用天板と、とで小動物用巣箱の床冷房器を構成しているので、床が冷やされているので、巣箱の小動物は冷えた床により涼しく生活できるという効果を奏する。
＜請求項２記載の発明の効果＞
全体が断熱材で形成され且つ保冷剤を収納する収納部を有するとともに、その上に巣箱を載せ置いて使用する床冷房器本体と、この床冷房器本体の天板部の一部に設けられた、穴、隙間、断熱材の厚みを薄くした部分、熱伝導性の良い金属製部材やセラミックス製部材などからなる、前記床冷房器本体に載せ置いた前記巣箱の床の一部に冷えた領域を形成するための部分冷却部と、とで小動物用巣箱の床冷房器を構成しているので、床冷房器本体全体が断熱材で形成されているために、収納部に収納した保冷剤の冷気が外に殆ど漏れ出すことが無く、且つ、天板部の一部に穴や熱伝導性部材からなる部分冷却部を配置して巣箱の床の一部を冷却する構造であるので外気の暖気が収納部に侵入し難い影響を受け難い構造を実現している。これにより、保冷剤の冷却効果が長時間（第１の実施の形態では１２時間、第２の実施の形態では２４時間以上）持続させることができるとともに、天板部の一部に設けた穴などの部分冷却部により、巣箱の床の一部を冷たい部分から少し冷たい部分というように強弱のある床温度とされるので、小動物は好みの冷たい部分を選んで寝そべるなどの生活できるという効果を奏する。  特に、ハムスターのような小動物は暑いときには冷たい床を探してそこに寝そべって身体を冷やす習性がある。小動物用巣箱の床冷房器床はそのような習性を生かしその習性に合った涼み方を実現できるという効果を奏する。＜請求項３記載の発明の効果＞
前記請求項１記載の発明と同様な効果を奏する。
【０００９】
したがって、本発明の冷房装置の上に巣箱を重ね置く使用方法、つまり、部分冷却部に巣箱の床を重ねるという使用方法によって、巣箱の床の所定の場所を冷却することができる。
【００１０】
したがって、本発明の冷房装置の部分冷却部は、巣箱の床の所定の場所を冷やす以外には収納部内の冷やすエネルギーを外に逃がさないので、保冷剤の冷やすエネルギーをもっぱら床を冷やすために効率良く使うことができる。
【００１１】
さらに、本発明の冷房装置の収納部は、断熱材を厚くするとか熱伝導率のより小さい断熱材を使用することによって、熱抵抗値を高めることができる。したがって冷やすエネルギーを長時間貯めておく収納部ができる。
【００１２】
さらに、大型の保冷剤パックを収納部に入れるとか、蓄冷力の大きい保冷剤入りの保冷剤パックを仕様することによって、さらに大きな冷やすエネルギーを保持することができる。
【００１３】
収納部の断熱材の厚さの寸法を底部３０ミリメートル、側面部を５０ミリメートル、天板部を３０ミリメートルとして、部分冷却部を３０ミリメートルの円形の穴とした小動物用巣箱の床冷房器を、発泡スチロール材で作った場合、市販の保冷剤パック（蓄冷剤７６０グラム入り）をマイナス１５℃の冷凍庫で１２時間冷却した後に使用した場合、２８℃〜３２℃の外気温のとき、巣箱の床温度（床面に置いた温度計で計測）を２４℃〜２５℃にすることができ、この冷房状態を１２時間持続することができた。
【００１４】
前記と全く同じ寸法の小動物用巣箱の床冷房器を硬質ウレタンフォームで作った場合、５倍の冷却能力があると表示された市販の保冷剤パック（高性能蓄冷剤７６０グラム入り）をマイナス１５℃の冷凍庫で１２時間冷却した後に使用した場合、２８℃〜３２℃の外気温のとき、巣箱の床温度（床面に置いた温度計で計測）を２４℃〜２５℃にすることができ、この冷房状態を２４時間持続することができた。
【００１５】
本発明の小動物用巣箱の床冷房器は、巣箱の床の所定の場所を集中冷却することができる。したがって床の所定の場所を中心に強冷房の場所にして、中心から離れるに従って冷却力が弱まる弱冷房の場所にすることができる。したがって巣箱の床に冷え方の異なった場所を作ることができる。したがってハムスターが巣箱の中に好みの温度の場所を選ぶことができる。したがって温度管理も楽である。
【００１６】
保冷材を冷蔵庫の冷凍室で冷却して繰り返して使用できるものにするのが経済的である。
【００１７】
本発明の巣箱の床冷房器は、例えば、断熱効果の大きい発砲スチロール製の安価なケース体で実現できるので装置が簡単で効果が確かであり廉価である。
【００１８】
本発明の小動物用巣箱の床冷房器床には以上の効果の他に、ハムスターなどの小動物用巣箱の床冷房器床として以下のような効果を有する。
ハムスターのような小動物は暑いときには冷たい床を探してそこに寝そべって身体を冷やす習性がある。小動物用巣箱の床冷房器はそのような習性を生かし習性に合った涼み方を実現できるという効果を奏する。
【００１９】
冷やすエネルギーは保冷剤を使用する。したがってサーモスタットのような温度変化が起きず一定温度を保つので、ハムスターのような小動物に負担が無く、地下の巣穴のような、安定した涼しさの温度環境を巣箱の中に作ることができる。
【００２０】
巣箱の外から冷却するので、ハムスターから完全に隔離できる。したがって巣箱の中を濡らしてしまう結露も無く、齧られる心配も無く安全である。
【発明を実施するための最良の形態】
【００２１】
保冷剤を使用して巣箱の床の所定の場所を、１２時間とか２４時間とかの長時間にわたって冷却するという目的を、断熱材で形成した保冷剤収納部と、冷やすエネルギーを巣箱の床に効率よく伝える、この床冷房器の冷却用天板、あるいは、巣箱の床の一部に冷えた領域を形成するための部分冷却部を有した天板部とで実現した。
【００２２】
言葉の定義、本明細書で用いる言葉を以下の様に定義する。
断熱材：断熱材は、硬質ウレタンフォーム・発泡スチロールなど合成樹脂系のもの、コルク、グラスウールなど、断熱材として一般に使用されるものすべてを含む。
保冷剤：  クーラーボックス用の蓄冷パック、食品保冷剤、氷、塩水を凍らせたものなど、一般に冷却剤として使用できるものすべてを含む。
巣箱：床部分を有するハムスター用の巣箱、床を外から冷やせる飼育ケースなど。
【実施例１】
【００２３】
２全体が断熱材で形成され且つ保冷剤を収納する収納部を有するとともに、その上に巣箱を載せ置いて使用する床冷房器本体と、この床冷房器本体の天板部の一部に設けられた、穴、隙間、断熱材の厚みを薄くした部分、熱伝導性の良い金属製部材やセラミックス製部材などからなる、前記床冷房器本体に載せ置いた前記巣箱の床の一部に冷えた領域を形成するための部分冷却部と、とからなることを特徴とする小動物用巣箱の床冷房器。
【００２４】
図１は、本発明の１実施例である。１は小動物用巣箱の床冷房器であり全体が断熱材でできている。２は中に保冷剤を収納する収納部であり４は天板部であり５は部分冷却部である。この実施例では部分冷却部５の構造は天板部４を貫通した一個の穴５０である。６は床冷房器本体である。
【００２５】
図２は、図１の実施例の内部構造を説明する図である。収納部２は底部２１と四つの側面部２２に断熱材の硬質ウレタンフォームを用いている。収納室３に冷凍庫で十分に冷やした保冷剤３１を入れて天板４で蓋をする。
【００２６】
図３は、請求項３の実施例である。また小動物用巣箱の床冷房器本体の説明図でもある。図１の床冷房器１の上に巣箱６０を載せた、小動物用巣箱の床冷房器の使用状態の例の図である。
【００２７】
図４は、図３の使用状態を例にして本発明の床冷房器１の動作原理を説明するものである。
小動物用巣箱の床冷房器１は、上に巣箱６０を載せて使用する。床冷房器１の天板４と巣箱６０の床６１が接している。部分冷却部５が床６１の所定の場所６２を冷却する。保冷剤３１の冷やすエネルギーは断熱材でできた収納室３から外に漏れ出ることなく収納室３の中に溜まる。溜まった冷やすエネルギーは部分冷却部５の穴５０を通って巣箱の床６１の所定の場所６２に伝わる。
【００２８】
図５は、本発明の小動物用巣箱の床冷房器が巣箱の床６１に強冷房の床の範囲１０と中冷房の床の範囲１１と弱冷房の床の範囲１２を形成する状態を説明するものである。小動物用巣箱の床冷房器の天板部４の上に載った巣箱の床６１は、部分冷却部５から冷やすエネルギーを受けて所定の場所６２が最も冷えた状態になる。断熱材でできている天板部に比べて高い熱伝導率の巣箱の床６１は所定の場所で受け取った、所定の場所を冷やすエネルギー７を周りに拡散させる。したがって、所定の場所が強冷房の床の範囲１０となりその周りが中冷房の床の範囲１１となりその外側が弱冷房の床の範囲１２となる。ハムスターは好みの冷え方の床を選ぶことができる。
【００２９】
図６から図１０は、本発明の小動物用巣箱の床冷房器の主要な特長である、１２時間とか２４時間の長時間機能するための、冷やすエネルギーを長時間保持する構造について説明する図である。
【００３０】
図６は、本発明の小動物用巣箱の床冷房器の実用性の実験用のモデルの図であり、同寸法、底部の厚さ３０ミリメートル側面部５０ミリメートル天板部３０ミリメートル部分冷却部を３０ミリメートルの円形の穴で発泡スチロール制と、硬質ウレタンフォーム制の二つのモデルを作った。上に巣箱６０を載せて巣箱の床６１に測定用温度計８０を置き、実験した。
【００３１】
図７は、図６の実用性の実験結果の抜粋であり、外気温が３０℃を超えた日に測定したデータである。発泡スチロール材で作った場合、市販の保冷剤パック（蓄冷剤７６０グラム入り）をマイナス１５℃の冷凍庫で１２時間冷却した後に使用した場合、２８℃〜３２℃の外気温のとき、巣箱の床温度（床面に置いた温度計で計測）を１７℃〜２５℃にすることができ、この冷房状態を１２時間持続することができた。床温度に大きな開きがあるのは巣箱の材質や構造も大きく関係すると推察されるが、３０℃を超えた気温のときに２５℃以下まで下げられる結果が出たので実用上問題ないことが分った。
【００３２】
硬質ウレタンフォームで作った場合、５倍の冷却能力があると表示された市販の保冷剤パック（高性能蓄冷剤７６０グラム入り）をマイナス１５℃の冷凍庫で１２時間冷却した後に使用した場合、２８℃〜３２℃の外気温のとき、巣箱の床温度（床面に置いた温度計で計測）を１７℃〜２５℃にすることができ、この冷房状態を２４時間持続することができた。
【００３３】
図８は、小動物用巣箱の床冷房器本体から漏れ出る冷やすエネルギーと断熱材の厚さを説明した図である。全体に２０ミリメートルほどの薄い断熱材を使用した場合は、保冷力が弱く、漏れ出る冷やすエネルギーの量が多くなるので、長時間冷房には適さない。短時間冷房用に適す。あるいは高性能保冷剤を使用することで冷房時間を伸ばすことができる。
【００３４】
断熱材の材料が同じであれば厚さが厚いほど熱抵抗値が高くなる。すなわち冷やすエネルギーを逃がしにくくする。特に底部２１の材質を熱伝導率の小さい材質にすることと厚さ２２を３０ミリメートル以上に厚くすることの両方あるいはいずれかによって底部２１から漏れ出る冷やすエネルギー２３を少なくすることができる。
【００３５】
同じく、側面部２５の材質を熱伝導率の小さい材質にすることと厚さ２６を３０ミリメートル以上に厚くすることの両方あるいはいずれかによって側面部２５から漏れる出る冷やすエネルギー２７を少なくすることができる。
【００３６】
天板部４から漏れる冷やすエネルギー２９は巣箱の側に漏れるので無駄とは言えないが、本来使用する目的の所定の場所を冷やすエネルギー７を減らすことになるので、天板部の厚さ２０ミリメートル以上を目安にすると良い。
【００３７】
図９は一般的な保冷剤３１の大型の物を使用した例である。大型の保冷剤３１aを収納すれば冷やすエネルギーの保持量も増える。
【００３８】
図１０は小さいが蓄冷力の強い保冷材３１bを使用した例である。蓄冷力の強い大型の保冷剤を収納すればより大きな冷やすエネルギーを保持することができるので、更に長時間機能させることができる。
【００３９】
図１１から図２７は、部分冷却部４の構造を説明するものである。部分冷却部４は保冷剤の冷やすエネルギーを収納部から取り出して、この取り出した冷やすエネルギーを巣箱の床の所定の場所に効率よく伝えるために、床冷房器本体６の天板部４の一部に、穴、隙間、断熱材の厚みを薄くした部分、熱伝導性の良い金属製部材やセラミックス製部材などを設けたものである。
【００４０】
図１１は、部分冷却部５を丸穴５０にした場合の図である。
【００４１】
図１２は、部分冷却部５を角穴５１にした場合の図である。
【００４２】
図１３は、部分冷却部５を隙間５２にした場合の図である。
隙間は冷やす力を強めずに冷やす床の面積を増やす場合に効果がある。
なお、穴や隙間の形は自由であり、穴や隙間を二つ以上を組み合わせる場合もこの範囲に含む。
【００４３】
図１４は、巣箱の床に接する側に窪み５３を持たせて断熱材の厚さを薄くして部分冷却部５とした実施例であり図１５は窪み５３を説明する断面図である。
【００４４】
図１６と図１７は、図１４の窪み５３aを収納部側に持たせた場合の図であり、窪ませる方法は穴や隙間よりも冷やす力を弱くする場合に適している。図では表していないが、両面を窪ませる場合もこの範囲に入る。
【００４５】
図１８から図２７は、天板４の断熱材より熱伝導率の高い物質で天板４を貫通して部分冷却部５とした実施例であり、
図１８は、柱状体５４のアルミニウムを埋め込んだ実施例である。なお、柱状体は熱伝導性の良い金属製部材やセラミックス製部材などを範囲に含む。
【００４６】
図１９は図１８の断面図である。
【００４７】
図２０は、L字に曲げた金属片５５を用いて天板を貫いた形式の部分冷却部にした実施例である。図２１は、金属片５５である。
【００４８】
図２２は図２０の断面図である。収納部側の金属片の形状は自由であり、折り曲げたり別の金属片を付け加えることもこの範囲に含む。
【００４９】
図２３は、カフスボタン型に貫通させた部分冷却部５６をであり、天板部４を両側から挟みこむ構造である。図２４は図２３の断面図である。
【００５０】
図２５は、カフスボタン型の貫通体５６である。
【００５１】
図２６は、図２５の収納部側の貫通体５６を大きくしたものであり、保冷剤に面した側を大きくすることによって冷やすエネルギーを多く吸収して伝えることができ、大きさを変えることによって冷やすエネルギーの伝達量を変えることができるので、部分冷却部の冷却力を調整する手段となる。
【００５２】
図２７は、部分冷却部が２ヶ所ある場合であり、強く冷える部分は２ヶ所できる。なお、本明細書では部分冷却部は１ヶ所だけで説明しているが、部分冷却部が２ヶ所あるいは３ヶ所以上の場合も本発明の範囲に含む。
【００５３】
図２８から図３１は、請求項１の実施例を説明するものであり、天板部４aの厚みに薄い部分８を設けたものである。巣箱の床の一方の広い範囲を、天板部の薄い部分８から出てくる冷やすエネルギーで冷やすことができる。３０℃を大きく上回る環境で強めの冷房が必要なときには、有効である。
【００５４】
図２９は、天板部４bの厚みを斜めに無段階に薄くした実施例であり、徐々に薄くなった天板部８aを有する。巣箱の床の一方に良く冷える場所反対側に弱い冷房の場所を作ることができる。
【００５５】
図３０は、天板部全体を薄くした場合であり約２０ミリメートル未満の厚さの天板部４cを持つ小動物用巣箱の床冷房器である。３０℃を大きく越える暑い環境で強い冷却力を必要とする場合に有効である。しかし、冷やすエネルギーの消費量が多くなり持続時間が短くなるので、蓄冷力の大きい保冷剤を使用する必要がある。
【００５６】
図３１は、天板部に周囲よりは熱伝導性の良い部材の天板部４dを用いた実施例である。図３０より更に冷却力を必要とする場合に有効である。
【００５７】
図３２は、本発明の小動物用巣箱の床冷房器の温度調節に関する実施例である。薄い断熱材でできた、冷やすエネルギー遮断板１５を、小動物用巣箱の床冷房器本体１と巣箱６０の間に挟むことで、冷やすエネルギーを少し遮断することで冷却力を抑えることができる。この方法は本発明のすべての小動物用巣箱の床冷房器に用いることができる。なお、冷やすエネルギー遮断板１５の材質は布や紙などでも良く、断熱材でなくても良い。
【００５８】
図３３は、部分冷却部が穴や隙間の場合に有効な冷却力調整手段である。穴や隙間に紙・布・スポンジ・綿などで栓１６をする方法である。
【００５９】
図３４は、部分冷却部５と巣箱の床６１との隙間ができた場合のパッキン１７である。構造は柔らかく変形する輪ゴム状のもので良いし、圧力で変形しまた元に戻るウレタン材のようなものでも良い。もともと天板部が平らで、巣箱の底も平らであるから冷気が漏れることは無いし、風圧が生じる場所ではないのでが、部材に歪みが生じた場合などには隙間ができて冷気が漏れて冷やすエネルギーのロスになるのでその場合のみ使用するものである。ただし、パッキンを用いない場合、柔らかいティッシュペーパーなどを敷いても冷却力にあまり影響せずに冷気漏れを防ぐことができる。
【００６０】
図３５はパッキンで冷やすエネルギーが漏れるのを防いでいる図である。隙間から所定の場所を冷やすエネルギーが逃げてしまうのを止める。
【実施例２】
【００６１】
図３６は収納部が横開き型の実施例を表した図である。保冷剤３１を横口３６から入れて横蓋３７を閉める。横蓋３７は冷気を密封するためにしっかりと閉める必要がある。図は止め具３８に伸縮性のマジックテープ（登録商標）で横蓋を収納部側に密着させる方法の実施例を表している。
【００６２】
図３７は、図３６の閉めた状態の図である。
【実施例３】
【００６３】
図３８は、収納部を積み木型にした場合の実施例である。天板部４と側面部２５と底部２１が独立していて、使用時に保冷剤３１を収納室３の中に入れて重ねて一体にする。
図３９は、図３を一体化した図である。
【００６４】
図４０は、床冷房器本体６aが保冷剤の収納室３を複数持っている実施例である。犬や猫など大型の動物の涼み板６５を冷却する。
【００６５】
図４１は、図４０の実施状態の図である。涼み板は木や合成樹脂や石や金属板など何でも良い。
【００６６】
図４２は、本発明の小動物用巣箱の床冷房器を複数並べて犬や猫などの涼み板６５を冷却している実施例である。
【産業上の利用可能性】
【００６７】
ハムスターなどの小動物用の巣箱の床冷房器として適用できる。
【図面の簡単な説明】
【００６８】
【図１】小動物用巣箱の床冷房器の基本形の説明図である。（実施例１）
【図２】小動物用巣箱の床冷房器の内部を説明する図である。
【図３】小動物用巣箱の床冷房器を巣箱にセットした使用例の図である。
【図４】小動物用巣箱の床冷房器の動作を説明する図である。
【図５】巣箱の床に強冷房と弱冷房の場所ができる説明図である。
【図６】小動物用巣箱の床冷房器の実用性の実験モデルである。
【図７】小動物用巣箱の床冷房器の実用性の実験データである。
【図８】小動物用巣箱の床冷房器の冷やすエネルギーの漏れを少なくする説明図である。
【図９】小動物用巣箱の床冷房器に使用する冷やすエネルギーの説明図である。
【図１０】小動物用巣箱の床冷房器に使用する高性能保冷剤の説明図である。
【図１１】丸穴型の部分冷却部の構造の説明図である。
【図１２】角穴型の部分冷却部の構造の説明図である。
【図１３】隙間型の部分冷却部の構造の説明図である。
【図１４】窪みを持った部分冷却部の構造の説明図である。
【図１５】窪みを持った部分冷却部の断面図である。
【図１６】収納室側にくぼみを持った部分冷却部の構造の説明図である。
【図１７】収納室側に窪みを持った部分冷却部の断面図である。
【図１８】柱状体のアルミニュームを用いた部分冷却部の説明図である。
【図１９】柱状体のアルミニュームを用いた部分冷却部の断面図である。
【図２０】L字に曲げた金属片を用いた形式の部分冷却部の説明図である。
【図２１】Ｌ字に曲げた金属片である。
【図２２】L字に曲げた金属片を用いた形式の部分冷却部の断面図である。
【図２３】カフス型に天板部を挟んだ部分冷却部の説明図である。
【図２４】カフス型に天板部を挟んだ部分冷却部の断面図である。
【図２５】カフス型の貫通体である。
【図２６】カフス型の貫通体の大型タイプである。
【図２７】部分冷却部を二つ持った図である。
【図２８】薄い部分を持った天板部の説明図である。（請求項１の実施例）
【図２９】一方が薄くなった天板部の説明図である。
【図３０】全体に薄い天板部の説明図である。
【図３１】断熱材とは異なった部材の天板部の説明図である。
【図３２】冷やすエネルギー遮断板の説明図である。
【図３３】部分冷却部の穴の栓の説明図である。
【図３４】冷やすエネルギーのパッキンの説明図である。
【図３５】冷やすエネルギーのパッキンの動作を説明する図である。
【図３６】横開き型の収納部の説明図である。
【図３７】横開き型の収納部を持った小動物用巣箱の床冷房器の図である。
【図３８】積み木型の収納部の説明図である。
【図３９】積み木型の収納部を持った小動物用巣箱の床冷房器の図である。
【図４０】複数の収納室を持った小動物用巣箱の説明図である。
【図４１】複数の収納室を持った小動物用巣箱の実施例である。
【図４２】小動物用巣箱の床冷房器を複数並べて使用する実施例である。
【符号の説明】
【００６９】
１、小動物用巣箱の床冷房器
２、収納部
３、収納室
４、４a、４b、４c４d天板部
５部分冷却部
６６a床冷房器本体
７所定の場所を冷やすエネルギ
８８a天板部の薄い部分
９所定の場所
１０強冷房の床の範囲
１１中冷房の床の範囲
１２弱冷房の床の範囲
１５冷やすエネルギー遮断板
１６栓
１７パッキン
２１底部
２２底部の厚さ
２３底部から漏れる冷やすエネルギー
２５側面部
２６側面部の厚さ
２７側面部から漏れる冷やすエネルギー
２８天板部の厚さ
２９天板部から漏れる冷やすエネルギー
３１３１a３１b保冷剤
３６横口
３７横蓋
３８止め具
５０丸穴
５１角穴
５２隙間
５３窪み
５４柱状体
５５金属片
５６貫通体
６０巣箱
６１巣箱の床
６２所定の場所
６５動物用涼み板
７０凸部
７１留め具
８０温度計
【図１】
2008022818.tif 000003
【図２】
2008022818.tif 000004
【図３】
2008022818.tif 000005
【図４】
2008022818.tif 000006
【図５】
2008022818.tif 000007
【図６】
2008022818.tif 000008
【図７】
2008022818.tif 000009
【図８】
2008022818.tif 000010
【図９】
2008022818.tif 000011
【図１０】
2008022818.tif 000012
【図１１】
2008022818.tif 000013
【図１２】
2008022818.tif 000014
【図１３】
2008022818.tif 000015
【図１４】
2008022818.tif 000016
【図１５】
2008022818.tif 000017
【図１６】
2008022818.tif 000018
【図１７】
2008022818.tif 000019
【図１８】
2008022818.tif 000020
【図１９】
2008022818.tif 000021
【図２０】
2008022818.tif 000022
【図２１】
2008022818.tif 000023
【図２２】
2008022818.tif 000024
【図２３】
2008022818.tif 000025
【図２４】
2008022818.tif 000026
【図２５】
2008022818.tif 000027
【図２６】
2008022818.tif 000028
【図２７】
2008022818.tif 000029
【図２８】
2008022818.tif 000030
【図２９】
2008022818.tif 000031
【図３０】
2008022818.tif 000032
【図３１】
2008022818.tif 000033
【図３２】
2008022818.tif 000034
【図３３】
2008022818.tif 000035
【図３４】
2008022818.tif 000036
【図３５】
2008022818.tif 000037
【図３６】
2008022818.tif 000038
【図３７】
2008022818.tif 000039
【図３８】
2008022818.tif 000040
【図３９】
2008022818.tif 000041
【図４０】
2008022818.tif 000042
【図４１】
2008022818.tif 000043
【図４２】
2008022818.tif 000044